(57)【特許請求の範囲】
【請求項１】
商品の決済を担う決済装置が前記決済により得た有価媒体を回収して収納する有価媒体処理装置であって、
前記決済装置の在高の不確定状態についての情報が格納された記憶媒体から前記情報を読み取る読取手段と、
前記読取手段によって読み取った情報により前記決済装置の在高が不確定な状態であることが示された場合に、当該決済装置からの有価媒体の収納を抑止するよう制御する制御手段と
を備え、
前記制御手段は、前記読取手段によって読み取った情報から前記決済装置の在高が不確定な状態であることが示された場合に、前記決済装置の在高が不確定な状態を解消する必要がある旨の報知を行う
ことを特徴とする有価媒体処理装置。
【請求項２】
前記制御手段は、前記読取手段によって読み取った情報から前記決済装置の在高が不確定な状態でないことが示された場合に、前記決済装置から前記有価媒体を回収して内部に収納した回収カセットの解錠が行える状態にすることを特徴とする請求項１に記載の有価媒体処理装置。
【請求項３】
前記制御手段は、前記読取手段によって読み取った情報から前記決済装置の在高が不確定な状態でないことが示された場合に、収納する前記有価媒体を投入する投入口のシャッタを開放して前記有価媒体を投入可能な状態にすることを特徴とする請求項１又は２に記載の有価媒体処理装置。
【請求項４】
前記読取手段は、前記回収カセットに取り付けられた記憶媒体に記憶された情報を読み取ることを特徴とする請求項１〜３のいずれか１つに記載の有価媒体処理装置。
【請求項５】
前記読取手段は、前記有価媒体の収納に係る操作を行う操作者が保有する記憶媒体に記憶された情報を読み取ることを特徴とする請求項１〜３のいずれか１つに記載の有価媒体処理装置。
【請求項６】
前記読取手段によって読み取った情報から前記決済装置の在高が不確定な状態であることが示された場合に例外的に収納を受け付けることを許可する条件に基づいて例外的な収納の受付の可否を判定する例外判定手段をさらに備え、
前記制御手段は、前記読取手段よって読み取った情報から前記決済装置の在高が不確定な状態であることが示された場合であっても、前記例外判定手段によって例外的な収納の受付が可能と判定された場合には、前記有価媒体の収納を可能となるよう制御することを特徴とする請求項１〜５のいずれか１つに記載の有価媒体処理装置。
【請求項７】
商品の決済を担い前記決済により得られた有価媒体を回収する決済装置と、前記決済装置から回収された有価媒体を収納する有価媒体処理装置とを含む有価媒体処理システムであって、
前記決済装置は、
前記有価媒体の在高を把握できている状態であるのか否かを示す在高の不確定状態についての情報を管理する状態管理手段と、
記憶媒体に状態管理手段によって管理している前記決済装置の在高の不確定状態についての情報を出力する状態出力手段と
を備え、
前記有価媒体処理装置は、
前記記憶媒体に出力された情報を読み取る読取手段と、
前記読取手段によって読み取った情報により前記決済装置の在高が不確定な状態であることが示された場合に、当該決済装置からの有価媒体の収納を抑止するよう制御する制御手段と
を備え、
前記制御手段は、前記読取手段によって読み取った情報から前記決済装置の在高が不確定な状態であることが示された場合に、前記決済装置の在高が不確定な状態を解消する必要がある旨の報知を行う
ことを特徴とする有価媒体処理システム。
【請求項８】
商品の決済を担う決済装置が前記決済により得た有価媒体を回収して収納する有価媒体処理方法であって、
前記決済装置の在高の不確定状態についての情報が格納された記憶媒体から前記情報を読み取る読取ステップと、
前記読取ステップによって読み取った情報により前記決済装置の在高が不確定な状態であることが示された場合に、当該決済装置からの有価媒体の収納を抑止するよう制御する制御ステップと
を含み、
前記制御ステップは、前記読取ステップによって読み取った情報から前記決済装置の在高が不確定な状態であることが示された場合に、前記決済装置の在高が不確定な状態を解消する必要がある旨の報知を行う
ことを特徴とする有価媒体処理方法。
【発明の詳細な説明】
【技術分野】
【０００１】
この発明は、百貨店、スーパーマーケット及びショッピングモールなどの親会社の直営店と他社のテナント店が入店している複合商業施設において、直営店及びテナント店の売上金を入金する有価媒体処理装置、有価媒体処理システム及び有価媒体処理方法に関する。
【背景技術】
【０００２】
従来、店舗において商品販売に係る決済を行い、商品販売に係る決済によって得られた売上金を含む在高を管理し、営業終了後などに翌営業日の釣銭準備金を残して売上金を回収する技術が知られている。例えば、特許文献１には、店舗に貨幣の入出金機能を有する貨幣の在高を管理する貨幣入出金装置を備えて、１日の営業終了時等において、翌営業日等の次回の営業に備えるために釣銭準備金相当額を残置額として自動算出して、残置額を除く在高に対応する貨幣を貨幣入出金機から回収する技術が開示されている。
【０００３】
また、複数の店舗が入店している複合商業施設において、店舗から回収された貨幣を受け付けて収納する技術が知られている。例えば、特許文献２には、カードリーダとプリンタと貨幣を収納する収納部とを備えた貨幣処理装置が、カードリーダで操作者のＩＤカードから操作者の識別情報を取得して認証を行い、店舗から回収された貨幣を受け付けて真贋判定及び計数をして収納部への収納を行い、収納部に収納された貨幣に係る情報をプリンタに出力する技術が開示されている。
【０００４】
これらの特許文献１にかかる技術を適用した貨幣入出金装置である有価媒体の入出金を行う決済装置と、特許文献２にかかる技術を適用した貨幣処理装置である有価媒体の収納を行う有価媒体処理装置とを含む有価媒体処理システムでは、店舗の売上金である有価媒体の回収業務においては、決済装置に所定の価値の有価媒体を残置するためには、一旦全ての有価媒体を回収した後に残置する価値に応じた有価媒体を再度入金するか、或いは装置内在高を一旦算出し、残置する有価媒体の価値をその装置内在高から差し引いた価値を指示することによって指示した価値相当分の有価媒体を回収するという煩雑な作業から店員を解放することができる。また、店舗から回収された売上金である有価媒体の収納においては、入金操作者のカードを読み込むことによって操作者の認証を行ったうえで、店舗から回収された売上金の収納を行い、収納した有価媒体の内容に応じた情報の出力を行うようにしたので、店舗から回収された売上金の収納を適切かつ効率的に行うことができる。
【先行技術文献】
【特許文献】
【０００５】
【特許文献１】特許第３２９５２９１号
【特許文献２】特開２０１０−２２４６０９号公報
【発明の概要】
【発明が解決しようとする課題】
【０００６】
しかしながら、店舗の決済装置は、収納部に収められている実際の有価媒体の在高と、決済装置が管理している在高とが不一致になってしまうことがあり、これによって回収された実際の有価媒体の価値が想定した回収する有価媒体の価値と不一致となってしまったり、実際の残置した有価媒体の価値が想定の残置する有価媒体の価値と不一致となってしまうことがある。例えば、決済装置の入金処理において、有価媒体を決済装置の内部にある収納部に収納しようとする動作中に障害が発生した場合は、収納しようとした有価媒体が実際に収納部に収納されたかどうか決算装置には判別できないケースがある。また、決済装置の出金処理において、有価媒体を収納部から繰り出そうとした時に障害が発生した場合などについても、繰り出そうとした有価媒体が収納部から出たのかどうか決済装置には判別できないケースがある。さらには、店舗の決済装置の収納部が手動で開けられた場合などについても、有価媒体が手動で抜かれたり入れられたりしても決済装置は判別することができない。
【０００７】
これらのように店舗の決済装置において在高が正確に把握できない状態になった場合には、在高が正確に把握できない状態となった金種の有価媒体について全てを一旦回収して、回収した有価媒体を計数し直して収納部に再収納することなどによってこの状態を回避するのというが本来の復旧手順である。しかしながら、このような本来の復旧手順が行われないまま収納部に収められた有価媒体を回収して回収した有価媒体を有価媒体処理装置で収納を行ってしまった場合に、実際に回収された有価媒体の価値や残置された有価媒体の価値が想定と整合が取れていないことがある。その場合に原因を追究して原因に応じた対処をするのには多大な手間がかかってしまうこととなる。
【０００８】
このように、店舗の決済装置において自身の管理している有価媒体の在高が正確に把握できなくなってしまうような事態が発生したにもかかわらず、有価媒体の在高を正確に把握できている状態に復旧していない決済装置から回収した有価媒体の収納を適切に制限できるようにすることが重要な課題となっている。
【０００９】
本発明は、上述した従来技術の課題を解決するためのものであって、有価媒体の在高が正確に把握できていない状態の店舗の決済装置から回収した有価媒体の収納を適切に制限することができる有価媒体処理装置、有価媒体処理システム及び有価媒体処理方法を提供することを目的とする。
【課題を解決するための手段】
【００１０】
上述した課題を解決し、目的を達成するため、本発明は、商品の決済を担う決済装置が前記決済により得た有価媒体を回収して収納する有価媒体処理装置であって、前記決済装置の在高の不確定状態についての情報が格納された記憶媒体から前記情報を読み取る読取手段と、前記読取手段によって読み取った情報により前記決済装置の在高が不確定な状態であることが示された場合に、当該決済装置からの有価媒体の収納を抑止するよう制御する制御手段とを備え、前記制御手段は、前記読取手段によって読み取った情報から前記決済装置の在高が不確定な状態であることが示された場合に、前記決済装置の在高が不確定な状態を解消する必要がある旨の報知を行うことを特徴とする。
【００１２】
また、本発明は、上記発明において、前記制御手段は、前記読取手段によって読み取った情報から前記決済装置の在高が不確定な状態でないことが示された場合に、前記決済装置から前記有価媒体を回収して内部に収納した回収カセットの解錠が行える状態にすることを特徴とする。
【００１３】
また、本発明は、上記発明において、前記制御手段は、前記読取手段によって読み取った情報から前記決済装置の在高が不確定な状態でないことが示された場合に、収納する前記有価媒体を投入する投入口のシャッタを開放して前記有価媒体を投入可能な状態にすることを特徴とする。
【００１４】
また、本発明は、上記発明において、前記読取手段は、前記回収カセットに取り付けられた記憶媒体に記憶された情報を読み取ることを特徴とする。
【００１５】
また、本発明は、上記発明において、前記読取手段は、前記有価媒体の収納に係る操作を行う操作者が保有する記憶媒体に記憶された情報を読み取ることを特徴とする。
【００１６】
また、本発明は、上記発明において、前記読取手段によって読み取った情報から前記決済装置の在高が不確定な状態であることが示された場合に例外的に収納を受け付けることを許可する条件に基づいて例外的な収納の受付の可否を判定する例外判定手段をさらに備え、前記制御手段は、前記読取手段よって読み取った情報から前記決済装置の在高が不確定な状態であることが示された場合であっても、前記例外判定手段によって例外的な収納の受付が可能と判定された場合には、前記有価媒体の収納を可能となるよう制御することを特徴とする。
【００１７】
また、本発明は、商品の決済を担い前記決済により得られた有価媒体を回収する決済装置と、前記決済装置から回収された有価媒体を収納する有価媒体処理装置とを含む有価媒体処理システムであって、前記決済装置は、前記有価媒体の在高を把握できている状態であるのか否かを示す在高の不確定状態についての情報を管理する状態管理手段と、記憶媒体に状態管理手段によって管理している前記決済装置の在高の不確定状態についての情報を出力する状態出力手段とを備え、前記有価媒体処理装置は、前記記憶媒体に出力された情報を読み取る読取手段と、前記読取手段によって読み取った情報により前記決済装置の在高が不確定な状態であることが示された場合に、当該決済装置からの有価媒体の収納を抑止するよう制御する制御手段とを備え、前記制御手段は、前記読取手段によって読み取った情報から前記決済装置の在高が不確定な状態であることが示された場合に、前記決済装置の在高が不確定な状態を解消する必要がある旨の報知を行うことを特徴とする。
【００１８】
また、本発明は、商品の決済を担う決済装置が前記決済により得た有価媒体を回収して収納する有価媒体処理方法であって、前記決済装置の在高の不確定状態についての情報が格納された記憶媒体から前記情報を読み取る読取ステップと、前記読取ステップによって読み取った情報により前記決済装置の在高が不確定な状態であることが示された場合に、当該決済装置からの有価媒体の収納を抑止するよう制御する制御ステップとを含み、前記制御ステップは、前記読取ステップによって読み取った情報から前記決済装置の在高が不確定な状態であることが示された場合に、前記決済装置の在高が不確定な状態を解消する必要がある旨の報知を行うことを特徴とする。
【発明の効果】
【００１９】
本発明によれば、有価媒体の在高が正確に把握できていない状態の店舗の決済装置から回収した有価媒体の収納を適切に制限することができる。
【図面の簡単な説明】
【００２０】
【図１】図１は、回収カセットに付けたＩＣタグを利用して在高不確定となっているレジからの入金を制限する方式の概要を説明するための説明図である。
【図２】図２は、有価媒体処理システムのシステム構成を示す図である。
【図３】図３は、図２に示したＰＯＳレジスタ、硬貨釣銭機及び紙幣釣銭機の外観構成を示す図である。
【図４】図４は、図２に示したＰＯＳレジスタ、硬貨釣銭機及び紙幣釣銭機の本実施例に係る装置内部の物理構成を示す図である。
【図５】図５は、図２に示したＰＯＳレジスタ、硬貨釣銭機及び紙幣釣銭機の本実施例に係る内部構成を示すブロック図である。
【図６】図６は、図２に示した硬貨釣銭機及び紙幣釣銭機の本実施例に係るデータ構成について説明するための説明図である。
【図７】図７は、図２に示した紙幣釣銭機の本実施例に係るＩＣデータのデータ構成を示す図である。
【図８】図８は、図２に示した入出金機の外観構成を示す図である。
【図９】図９は、図２に示した入出金機の本実施例に係る内部構成を示すブロック図である。
【図１０】図１０は、図２に示した入出金機の本実施例に係るデータ構成について説明するための説明図である。
【図１１】図１１は、カセット解錠機及び回収カセットの外観構成を示す図である。
【図１２】図１２は、カセット解錠機を使用して回収カセットを解錠する手順を説明するための説明図である。
【図１３】図１３は、図２に示した入出金機における入金の取り扱い可否の判定処理の処理手順を示すフローチャートである。
【発明を実施するための形態】
【００２１】
以下に、添付図面を参照して、本発明に係る有価媒体処理装置、有価媒体処理システム及び有価媒体処理方法の好適な実施例を詳細に説明する。
【実施例】
【００２２】
まず、回収カセット２０７に付けたＩＣタグ２０７ｃを利用して在高不確定となっているレジからの入金を制限する方式の概要を図１を用いて説明する。
【００２３】
店舗にはＰＯＳレジスタ３００、硬貨釣銭機１００及び紙幣釣銭機２００が設置され、これらの機器で商品販売時の決済処理を行う。具体的には、ＰＯＳレジスタ３００は、販売する商品の識別情報と個数の入力を受け付けて商品の代金を算出する。店員は、ＰＯＳレジスタ３００の算出した代金を顧客に請求し、顧客から預かった現金を硬貨釣銭機１００及び紙幣釣銭機２００に投入する。硬貨釣銭機１００及び紙幣釣銭機２００は投入された現金の真偽判定及び計数を行って、結果をＰＯＳレジスタ３００に通知し、当該通知を受け付けたＰＯＳレジスタ３００は、預かった現金の計数結果を表示する。ＰＯＳレジスタ３００に表示された商品代金及び預かり現金額の確認操作を受け付けたならば、ＰＯＳレジスタ３００は、釣銭がある場合には硬貨釣銭機１００及び紙幣釣銭機２００に対して釣銭の払い出しの指示を行う。硬貨釣銭機１００及び紙幣釣銭機２００は指示に従って、釣銭の払い出しを行う。
【００２４】
また、硬貨釣銭機１００及び紙幣釣銭機２００は、自装置内の収納部に収納されている硬貨若しくは紙幣の金種別の枚数若しくは金額である在高を管理しており、販売に伴う入金や釣銭の払い出しに応じて、自装置内で管理する在高の更新を行なう。しかしながら、硬貨釣銭機１００及び紙幣釣銭機２００では、預かった貨幣の収納部への収納動作中、釣銭の払い出しのために収納部の貨幣の繰り出し動作時にエラーが発生すると、収納部に収納されている貨幣の在高が不明確な状態である在高不確定状態となってしまう。硬貨釣銭機１００及び紙幣釣銭機２００は、貨幣の金種別の在高だけではなく、金種別に在高不確定状態であるか否かの情報も管理する。
【００２５】
店舗のＰＯＳレジスタ３００からの売上金の回収の指示を受け付けると、硬貨釣銭機１００及び紙幣釣銭機２００の収納部に収められている在高から所定の残置額を残して紙幣を回収カセット２０７に回収し、硬貨を硬貨の出金部に回収する。その際には、回収カセット２０７に取り付けられているＩＣタグ２０７ｃに回収した金額の情報と在高不確定の状態となっている金種の有無の情報とを書き込む。店舗の店員はこのようにしてレジの売上金の回収を行い、売上金が回収された回収カセット２０７と硬貨を出納室に持ち込んで入出金機４００に入金を行う。回収カセット２０７はこの時点では施錠された状態であり、解錠することによって内部に収集された紙幣を取り出すことができる。
【００２６】
出納室では、まず、持ち込んだ回収カセット２０７を入出金機４００に接続されているカセット解錠機４０５に装填する。カセット解錠機４０５は、回収カセット２０７を解錠するための機器であり、上位装置である入出金機４００からの指示によって解錠機能を使用することができる状態と、解錠機能を使用することができない状態とを切り替えることができる。待機中の状態においてカセット解錠機４０５は解錠機能を使用することができない状態である。
【００２７】
カセット解錠機４０５に回収カセット２０７が装填されると、カセット解錠機４０５は回収カセット２０７のＩＣタグ２０７ｃの情報を読み取って読み取った内容を入出金機４００に通知する。入出金機４００は、回収カセット２０７のＩＣタグ２０７ｃの情報から、当該回収カセット２０７に対するレジが在高不確定状態となっているか否かの判定を行い、在高不確定状態の場合には当該回収カセット２０７に対するレジが在高不確定状態であることから取り扱えない旨のメッセージを表示して入金処理は行えないように制御する。
【００２８】
また、入出金機４００は、当該回収カセット２０７に対するレジが在高不確定状態ではない場合には、カセット解錠機４０５を解錠機能を使用することができる状態に変更するとともに、入出金機４００の入金貨幣の投入を受け付ける口のシャッタを開けて投入可能な状態として、入金操作が行えるように制御し、店員の操作に基づいて入金処理を実行する。
【００２９】
このように、店舗から売上金の回収を行う回収カセット２０７に取り付けられたＩＣタグ２０７ｃに硬貨釣銭機１００若しくは紙幣釣銭機２００の管理する硬貨若しくは紙幣の在高が不明確な状態である在高不明確状態であるか否かの情報を記憶させ、売上金の入金を行う入出金機４００のカセット解錠機４０５に回収カセット２０７を装填したならば、回収カセット２０７のＩＣタグ２０７ｃから在高不明確状態であるか否かの情報を読み取って在高不明確状態でない場合に売上金の入金を受け付けるように制御するようにしたので、有価媒体の在高が正確に把握できていない状態の店舗の硬貨釣銭機１００若しくは紙幣釣銭機２００から回収した有価媒体の収納を適切に制限することができる。
【００３０】
次に、有価媒体処理システムのシステム構成を説明する。図２は、有価媒体処理システムのシステム構成を示す図である。図２は、有価媒体処理システムを複数の店舗の入ったショッピングモールのような複合商業施設へ適用した例である。当該複合商業施設には複数の店舗が入っており、図２に示す企業ａのように同一企業が複数店舗を出店しているようなケースもある。当該複合商業施設に入っている店舗には、店舗の売上金の管理を行うＰＯＳレジスタ３００、硬貨釣銭機１００及び紙幣釣銭機２００が設置されている。それぞれの店舗には、店舗の規模に応じた台数のＰＯＳレジスタ３００、硬貨釣銭機１００及び紙幣釣銭機２００が設置されている。
【００３１】
また、当該複合商業施設内には出納室があって、出納室には売上金を入金したり、釣銭準備金を出金することができる入出金機４００が設置されている。また、規模の大きな複合商業施設には図２に示すように複数の出納室を設置することが可能で、その場合には店舗をエリアなどによってグループ分けを行い、１つのグループに対して１つの出納室を対応付けるようにしている。また、当該複合商業施設内には店舗サーバ５００が設置されていて、当該店舗サーバ５００は通信回線によって複合商業施設内の全てのＰＯＳレジスタ３００と接続されており、当該ＰＯＳレジスタ３００から送信されてくる売上情報の管理を行う。
【００３２】
図２の例は、当該複合商業施設には、企業ａ、企業ｂ、企業ｃ、企業ｇ及び企業ｈが出店しており、企業ａは店舗ａ、店舗ｄ、店舗ｅ及び店舗ｆを出店し、企業ｂは店舗ｂを出店し、企業ｃは店舗ｃを出店し、企業ｇは店舗ｇを出店し、企業ｈは店舗ｈを出店していることを示している。また、図２の例は、当該複合施設は２つのグループに分けられていて、出納室ａに対応するグループａには店舗ａ、店舗ｂ、店舗ｃ及び店舗ｄが含まれていて、出納室ｂに対応するグループｂには店舗ｅ、店舗ｆ、店舗ｇ及び店舗ｈが含まれていることを示している。
【００３３】
それぞれの店舗には１セット若しくは複数セットのＰＯＳレジスタ３００、硬貨釣銭機１００及び紙幣釣銭機２００が設置されている。ＰＯＳレジスタ３００は、商品の販売時に販売した商品の識別情報と数量を受け付けて顧客へ請求する合計金額を算出するとともに、算出した合計金額の表示やレシートの発行を行う。硬貨釣銭機１００及び紙幣釣銭機２００は、顧客から預かった硬貨及び紙幣を受け付けて計数を行い、金種別の枚数若しくは金額をＰＯＳレジスタ３００に通知する。また、ＰＯＳレジスタ３００は、硬貨釣銭機１００及び紙幣釣銭機２００から受け付けた顧客からの預かった金額と、ＰＯＳレジスタ３００が算出した顧客へ請求する合計金額とを用いて、釣銭を算出して、硬貨釣銭機１００及び紙幣釣銭機２００に釣銭の払い出しの指示を送信する。ＰＯＳレジスタ３００からの払い出しの指示を受け付けた硬貨釣銭機１００及び紙幣釣銭機２００は、受け付けた指示内容に応じて釣銭の払い出しを行う。
【００３４】
次に、閉店時などに行う店舗の売上金の回収について説明する。ＰＯＳレジスタ３００からの売上金の回収の操作を行うと、ＰＯＳレジスタ３００から硬貨釣銭機１００及び紙幣釣銭機２００に対して売上金回収の指示が通知される。売上金回収の指示を受け付けると硬貨釣銭機１００及び紙幣釣銭機２００は当日の売上金に対応する金額の回収動作を実行する。
【００３５】
具体的には、硬貨釣銭機１００は、当日の売上金の硬貨に対応する金額の払い出しを行う。紙幣釣銭機２００は、当日の売上金の硬貨に対応する端数金額を除いた金額を紙幣釣銭機２００の取り外し可能な回収カセット２０７に搬送して収納する。また、本回収動作については硬貨釣銭機１００及び紙幣釣銭機２００の設定によっては、金種ごとに所定の適切な枚数を翌日の釣銭準備金として残すものとしてもよい。そのような設定がされている場合には、売上金回収の指示を受け付けた硬貨釣銭機１００は、内部に収納されている硬貨のうち金種ごとに所定の枚数を残して、これを超える硬貨の払い出しを行う。また、売上金回収の指示を受け付けた紙幣釣銭機２００は、内部に収納されている紙幣のうち金種ごとの所定の枚数を残して、これを超える紙幣を取り外し可能な回収カセット２０７に搬送することとなる。
【００３６】
当該店舗の店員は、硬貨釣銭機１００から払い出された硬貨と、紙幣釣銭機２００から取り外した回収カセット２０７とを店舗に応じた出納室に持ち込んで、入出金機４００において持ち込んだ硬貨及び紙幣の入金を行う。入出金機４００では、持ち込んだ店員や店舗及びレジを識別及び認証して、硬貨及び紙幣を受け付けて収納するとともに、受け付けた内容をジャーナルとして出力する。また、入出金機４００は、紙幣釣銭機２００から取り出した回収カセット２０７の解錠を行うカセット解錠機４０５が接続されており、カセット解錠機４０５を用いて回収カセット２０７の解錠を行うことによって、回収カセット２０７に収納された紙幣を取り出すことが可能となる。
【００３７】
次に、図２に示したＰＯＳレジスタ３００、硬貨釣銭機１００及び紙幣釣銭機２００の外観構成を説明する。図３は、ＰＯＳレジスタ３００、硬貨釣銭機１００及び紙幣釣銭機２００の外観構成を示す図である。
【００３８】
店舗には１セット又は複数セットの硬貨釣銭機１００と、紙幣釣銭機２００と、ＰＯＳレジスタ３００とを備えている。硬貨釣銭機１００及び紙幣釣銭機２００は、それぞれ硬貨や紙幣の入出金処理を行う。図３に示すように、硬貨釣銭機１００及び紙幣釣銭機２００は左右方向に並べて配置される。また、ＰＯＳレジスタ３００は、並べて配置された硬貨釣銭機１００及び紙幣釣銭機２００の上面に載置される。
【００３９】
図３に示すようにＰＯＳレジスタ３００は、硬貨釣銭機１００や紙幣釣銭機２００における硬貨や紙幣の処理状況や、硬貨釣銭機１００や紙幣釣銭機２００の内部に収納された硬貨や紙幣の在高を表示する表示部３０２と、ＰＯＳレジスタ３００に対する様々な入力操作を受け付ける操作部３０４と、表示部３０２に表示する内容の一部や表示部３０２とは異なる内容を表示する追加表示部３０２ａとを有する。
【００４０】
また、硬貨釣銭機１００は、前部上面にタッチパネル等の操作表示部１１２を有する筐体１１０を備えている。筐体１１０の前部には硬貨受入部１１４及び硬貨払出部１１６が設けられている。硬貨受入部１１４は、受け入れた硬貨を１層１列状態で１枚ずつ機体内に取り込む。
【００４１】
また、紙幣釣銭機２００は、筐体２１０の前面には、紙幣受入口２１４ａと、紙幣取出口２１６ａとを備えている。また、売上金の回収時に使用する回収カセット２０７は筐体２１０に対して着脱自在に取り付けられている。また、払い出そうとした紙幣のうち、識別することができなかった紙幣を収納する出金リジェクト部２０４を備える。また、紙幣受入口２１４ａから機体内に取り込まれた紙幣のうち、汚損等により識別することができない紙幣は入金リジェクト紙幣として紙幣取出口２１６ａに返却される。
【００４２】
次に、図２に示したＰＯＳレジスタ３００、硬貨釣銭機１００及び紙幣釣銭機２００の本実施例に係る装置内部の物理構成を図４を用いて説明する。
【００４３】
ＰＯＳレジスタ３００は、表示部３０２、操作部３０４及びＰＯＳレジスタ全体を制御する制御部３３０を有している。制御部３３０は、通信回線を介して店舗サーバ５００に接続されており、売上金情報等が送信されるようになっている。また、ＰＯＳレジスタ３００の制御部３３０は、紙幣釣銭機２００の制御部２３０と通信回線によって接続されている。また、硬貨釣銭機１００の制御部１３０と紙幣釣銭機２００の制御部２３０も互いに通信回線によって接続されている。ＰＯＳレジスタ３００は、紙幣釣銭機２００との通信回線を通して、紙幣釣銭機２００からの情報及び紙幣釣銭機２００を経由して硬貨釣銭機１００からの情報を取得する。また、ＰＯＳレジスタ３００は、通信回線を通して紙幣釣銭機２００及び紙幣釣銭機２００を通して硬貨釣銭機１００に対する指示を行うことができる。
【００４４】
硬貨釣銭機１００の筐体１１０の前部に設けられている硬貨受入部１１４は、受け入れた硬貨を１層１列状態で１枚ずつ機体内に取り込むようになっている。硬貨受入部１１４には、当該硬貨受入部１１４により機体内に取り込まれた硬貨を搬送する入金搬送部１０３が接続されている。
【００４５】
この入金搬送部１０３の途中には、硬貨の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を出金搬送部１０８へ搬送する。
【００４６】
一方、正常硬貨等の機体内に収納されるべき硬貨は入金搬送部１０３により硬貨収納部１０６へ搬送されるようになっている。硬貨収納部１０６は硬貨を金種別に収納するようになっている。具体的には、例えば入金搬送部１０３の上流側から高額順に硬貨が収納される。出金搬送部１０８は、硬貨収納部１０６から繰り出された硬貨を硬貨払出部１１６へ搬送する。また、出金搬送部１０８は、分岐部１０４から搬送されたリジェクト硬貨等を硬貨払出部１１６へ搬送する。
【００４７】
紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４、及び回収カセット２０７が、周回搬送部２０３ａから外周を取り囲むように配置されている。
【００４８】
また、紙幣釣銭機２００の筐体２１０の内部には、紙幣受入部２１４、紙幣収納部２０６、紙幣払出部２１６、出金リジェクト部２０４、及び回収カセット２０７と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の識別を行う。また、周回搬送部２０３ａと接続搬送部２０３ｂとの間で紙幣の搬送経路を切り換える経路切換部（図示せず）が、周回搬送部２０３ａに沿って配置されている。
【００４９】
紙幣受入部２１４は、紙幣受入口２１４ａに挿入された入金紙幣を１枚ずつ取り込んで、周回搬送部２０３ａ側へ繰り出すようになっている。紙幣収納部２０６は、紙幣識別部２０１の識別結果に基づいて紙幣を金種別に収納する。紙幣払出部２１６は、紙幣収納部２０６から周回搬送部２０３ａに繰り出された紙幣を紙幣取出口２１６ａより機外へ放出する。
【００５０】
出金リジェクト部２０４は、紙幣収納部２０６から繰り出された紙幣のうち、斜行等により紙幣識別部２０１で識別することができない紙幣を出金リジェクト紙幣として収納する。また、紙幣受入部２１４から機体内に取り込まれた紙幣のうち、汚損等により紙幣識別部２０１で識別することができない紙幣は入金リジェクト紙幣として紙幣払出部２１６に返却される。
【００５１】
次に、図２に示したＰＯＳレジスタ３００、硬貨釣銭機１００及び紙幣釣銭機２００の本実施例に係る内部構成を説明する。図５は、ＰＯＳレジスタ３００、硬貨釣銭機１００及び紙幣釣銭機２００の本実施例に係る内部構成を示すブロック図である。
【００５２】
図５に示すように、硬貨釣銭機１００は、通信部１３２、硬貨受入部１１４、入金搬送部１０３、硬貨識別部１０１、分岐部１０４、硬貨収納部１０６、出金搬送部１０８、硬貨払出部１１６、操作表示部１１２、記憶部１３４及び制御部１３０を備えている。通信部１３２は、通信回線を通して紙幣釣銭機２００とのデータ通信を行うためのインタフェース部である。紙幣釣銭機２００は、同様にしてＰＯＳレジスタ３００とも通信回線を通してデータ通信を行っており、紙幣釣銭機２００を経由することによって、硬貨釣銭機１００は、ＰＯＳレジスタ３００とのデータ通信を行うこともできる。
【００５３】
硬貨受入部１１４は、入金する硬貨の受付を行う。入金搬送部１０３は、硬貨受入部１１４で受け付けた硬貨を硬貨識別部１０１、分岐部１０４を経由して硬貨収納部１０６への搬送を行う。硬貨識別部１０１は、入金搬送部１０３によって搬送されてきた硬貨の真偽及び正損の判定を行う。分岐部１０４は、硬貨識別部１０１の真偽及び正損の識別結果に応じて、搬送されてきた硬貨を硬貨払出部１１６に続く出金搬送部１０８若しくは硬貨収納部１０６に続く入金搬送部１０３のいずれかに分岐させる。真貨であり且つ正貨と識別された場合には、分岐部１０４は搬送されてきた硬貨を硬貨収納部１０６に続く入金搬送部１０３に振り分ける。また、偽貨若しくは損貨と識別された場合には、分岐部１０４は搬送されてきた硬貨を硬貨払出部１１６に続く出金搬送部１０８に振り分ける。
【００５４】
硬貨収納部１０６は、硬貨の入金処理で真貨であり且つ正貨と識別された硬貨を収納する収納部である。また、硬貨の出金処理では、当該硬貨収納部１０６から硬貨を繰り出して払い出しを行う。出金搬送部１０８は、硬貨の出金処理において硬貨収納部１０６から繰り出された硬貨を硬貨払出部１１６に搬送する。また、出金搬送部１０８は、硬貨識別部１０１によって偽貨若しくは損貨と識別された場合に、分岐部１０４から分岐により受け付けた偽貨若しくは損貨と識別された硬貨を硬貨払出部１１６に搬送する。硬貨払出部１１６は、釣銭として出金する硬貨若しくは硬貨識別部１０１によって偽貨若しくは損貨と識別された返却する硬貨を払い出す口である。
【００５５】
操作表示部１１２は、硬貨釣銭機１００や紙幣釣銭機２００における硬貨や紙幣の処理状況や、硬貨釣銭機１００や紙幣釣銭機２００の内部に収納された硬貨や紙幣の在高などの情報を表示する出力部である。
【００５６】
記憶部１３４は、ハードディスク装置や不揮発性メモリ等の記憶デバイスであり、硬貨設定データ１３４ａ、硬貨処理実績データ１３４ｂ及び硬貨在高データ１３４ｃを有する。硬貨設定データ１３４ａは、硬貨釣銭機１００の処理に係るパラメータである。硬貨処理実績データ１３４ｂは、当該硬貨釣銭機１００の過去の処理実績を蓄積したデータである。硬貨在高データ１３４ｃは、硬貨釣銭機１００の硬貨収納部１０６に収納されている金種別の枚数の情報である。また、入金時や釣銭の払出時の障害発生により硬貨収納部１０６に収納されている硬貨の在高が不明確な状態となることがあり、このような状態も在高不確定状態として当該硬貨在高データ１３４ｃにおいて金種ごとに管理している。
【００５７】
制御部１３０は、硬貨釣銭機１００の全体を制御する制御部であり、入出金処理部１３０ａ、設定データ受付部１３０ｂ、回収処理部１３０ｃ及び精査処理部１３０ｄを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【００５８】
入出金処理部１３０ａは、硬貨の入金処理及び出金処理全体を制御する処理部である。また、入出金処理部１３０ａは、硬貨入出金が終了したならば金種ごとの入出金の内容で硬貨在高データ１３４ｃの更新を行うとともに、硬貨入出金の実績を硬貨処理実績データ１３４ｂに蓄積する。また、入出金処理部１３０ａは、入出金処理に係る硬貨収納部１０６への収納処理や硬貨収納部１０６からの繰り出し処理において障害を検知した場合には、硬貨在高データ１３４ｃの対応する金種に関して在高不確定状態とする。また、入出金処理部１３０ａは、障害が発生していない状態であったとしても硬貨収納部１０６を手で開けた場合なども、開けた硬貨収納部１０６に対応する金種を在高不確定状態とする。また、入出金処理部１３０ａは、硬貨在高データ１３４ｃで管理している金種ごとの在高不確定状態を更新する場合には、その更新内容を紙幣釣銭機２００にも通知する。
【００５９】
設定データ受付部１３０ｂは、紙幣釣銭機２００から硬貨釣銭機１００の処理に係るパラメータを受け付けたならば、受け付けた内容で硬貨設定データ１３４ａを更新する。
【００６０】
回収処理部１３０ｃは、紙幣釣銭機２００を経由してＰＯＳレジスタ３００から回収の指示を受け付けた場合、若しくは操作表示部１１２の操作による回収の指示を受け付けた場合に硬貨の回収処理を行う。具体的には、回収処理部１３０ｃは、まず硬貨在高データ１３４ｃを紙幣釣銭機２００に送信する。硬貨在高データ１３４ｃを受け付けた紙幣釣銭機２００は受け付けた内容で、硬貨回収動作前の硬貨の在高及び在高不確定状態を回収カセット２０７のＩＣデータ２０７ｄに反映する。次に、回収処理部１３０ｃは、硬貨収納部１０６に収められている硬貨を所定の残置額を除いて硬貨払出部１１６に払い出す。最後に、回収処理部１３０ｃは、硬貨の払出終了後の硬貨在高データ１３４ｃを紙幣釣銭機２００に送信することによって、回収処理後の硬貨の在高及び在高不確定状態を回収カセット２０７のＩＣデータ２０７ｄに反映する。
【００６１】
精査処理部１３０ｄは、在高不確定状態となっている金種の硬貨に関して、硬貨収納部１０６に収納されている全てを硬貨払出部１１６に払い出しを行う。また、精査処理部１３０ｄは、在高不確定状態となっている金種の硬貨を全て払い出すことによって硬貨在高データ１３４ｃの対応する金種の在高と在高不確定状態のクリアを行う。また、精査処理部１３０ｄは、払い出された硬貨を硬貨受入部１１４から投入して、真偽、正損の判定及び金種別に計数を行って、真貨で且つ正貨であると判定された硬貨を硬貨収納部１０６に収納するとともに、計数結果を硬貨在高データ１３４ｃに反映する。これによって、在高不確定状態が解消され、硬貨在高データ１３４ｃの在高と硬貨収納部１０６に収納されている硬貨の金種別の枚数の整合を取ることができる。
【００６２】
図５に示すように、紙幣釣銭機２００は、通信部２３２、紙幣受入部２１４、周回搬送部２０３ａ、接続搬送部２０３ｂ、紙幣識別部２０１、紙幣収納部２０６、出金リジェクト部２０４、紙幣払出部２１６、回収カセット２０７、ＩＣタグリーダライタ２０９、記憶部２３４及び制御部２３０を備えている。通信部２３２は、通信回線を通してＰＯＳレジスタ３００及び硬貨釣銭機１００とのデータ通信を行うためのインタフェース部である。
【００６３】
紙幣受入部２１４は、入金する紙幣の受付を行う。周回搬送部２０３ａは、紙幣受入部２１４から繰り出した紙幣を紙幣収納部２０６に続く接続搬送部２０３ｂか、回収カセット２０７に続く接続搬送部２０３ｂか、紙幣払出部２１６に続く接続搬送部２０３ｂのいずれかに選択的に搬送する。また、周回搬送部２０３ａは、紙幣収納部２０６から繰り出した紙幣を出金リジェクト部２０４に続く接続搬送部２０３ｂか、回収カセット２０７に続く接続搬送部２０３ｂか、紙幣払出部２１６に続く接続搬送部２０３ｂのいずれかに選択的に搬送する。接続搬送部２０３ｂは、周回搬送部２０３ａと紙幣収納部２０６、回収カセット２０７、紙幣払出部２１６、出金リジェクト部２０４若しくは紙幣受入部２１４とを結ぶ紙幣の搬送処理部である。
【００６４】
紙幣識別部２０１は、周回搬送部２０３ａ上にあって、紙幣の真偽及び正損の識別を行う。紙幣収納部２０６は、紙幣の入金処理で真券であり且つ正券と識別された紙幣を収納する収納部である。また、紙幣の出金処理では、当該紙幣収納部２０６から紙幣を繰り出して払い出しを行う。出金リジェクト部２０４は、紙幣の出金処理において紙幣収納部２０６から繰り出された紙幣のうち、紙幣識別部２０１で偽券若しくは損券と識別された紙幣を収納するボックスである。紙幣払出部２１６は、紙幣の出金処理において紙幣収納部２０６から繰り出された紙幣のうち、紙幣識別部２０１で真券であり且つ正券と識別された紙幣を払い出す口である。また、紙幣払出部２１６は、紙幣の入金処理において紙幣識別部２０１で偽券若しくは損券と識別された紙幣を返却する口である。
【００６５】
回収カセット２０７は、ＰＯＳレジスタ３００から回収の指示を受け付けた場合、若しくは硬貨釣銭機１００の操作表示部１１２の操作による回収の指示を受け付けた場合に、紙幣収納部２０６に収納されている紙幣を搬送する先である。当該回収指示によって、紙幣釣銭機２００内の売上金は回収カセット２０７に集められ、当該回収カセット２０７を抜き取ることによって売上金の回収を行うことができる。また、回収カセット２０７の底部にはＩＣタグ２０７ｃが取り付けられており、当該ＩＣタグ２０７ｃの中にはＩＣデータ２０７ｄが記憶されている。ＩＣタグリーダライタ２０９は、回収カセット２０７の底部に取り付けられたＩＣタグ２０７ｃのＩＣデータ２０７ｄに対する読み書きを行うための入出力部である。
【００６６】
記憶部２３４は、ハードディスク装置や不揮発性メモリ等の記憶デバイスであり、紙幣設定データ２３４ａ、紙幣処理実績データ２３４ｂ及び紙幣在高データ２３４ｃを有する。紙幣設定データ２３４ａは、紙幣釣銭機２００の処理に係るパラメータである。紙幣処理実績データ２３４ｂは、当該紙幣釣銭機２００の過去の処理実績を蓄積したデータである。紙幣在高データ２３４ｃは、紙幣釣銭機２００の紙幣収納部２０６に収納されている金種別の枚数の情報である。また、入金時や釣銭の払出時の障害発生により紙幣収納部２０６に収納されている紙幣の在高が不明確な状態となることがあり、このような状態も在高不確定状態として当該紙幣在高データ２３４ｃにおいて金種ごとに管理している。
【００６７】
制御部２３０は、紙幣釣銭機２００の全体を制御する制御部であり、入出金処理部２３０ａ、設定データ受付部２３０ｂ、回収処理部２３０ｃ及び精査処理部２３０ｄを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【００６８】
入出金処理部２３０ａは、紙幣の入金処理及び出金処理全体を制御する処理部である。また、入出金処理部２３０ａは、紙幣入出金が終了したならば金種ごとの入出金の内容で紙幣在高データ２３４ｃの更新を行うとともに、紙幣入出金の実績を紙幣処理実績データ２３４ｂに蓄積する。また、入出金処理部２３０ａは、入出金処理に係る紙幣収納部２０６への収納処理や紙幣収納部２０６からの繰り出し処理において障害を検知した場合には、紙幣在高データ２３４ｃの対応する金種に関して在高不確定状態とする。また、入出金処理部２３０ａは、障害が発生していない状態であったとしても紙幣収納部２０６を手で開けた場合なども、開けた紙幣収納部２０６に対応する金種を在高不確定状態とする。また、入出金処理部２３０ａは、紙幣在高データ２３４ｃで管理している金種ごとの在高不確定状態を更新する場合には、その更新内容を回収カセット２０７のＩＣタグ２０７ｃのＩＣデータ２０７ｄにも反映する。
【００６９】
設定データ受付部２３０ｂは、回収カセット２０７のＩＣデータ２０７ｄを読むことによって紙幣釣銭機２００及び硬貨釣銭機１００の処理に係るパラメータを受け付けたならば、受け付けた紙幣釣銭機２００の処理に係るパラメータで紙幣設定データ２３４ａを更新し、硬貨釣銭機１００の処理に係るパラメータは硬貨釣銭機１００に送信する。
【００７０】
回収処理部２３０ｃは、ＰＯＳレジスタ３００から回収の指示を受け付けた場合、若しくは硬貨釣銭機１００の操作表示部１１２の操作による回収の指示を受け付けた場合に紙幣の回収処理を行う。具体的には、回収処理部２３０ｃは、まず紙幣在高データ２３４ｃの内容に基づいて、紙幣回収動作前の紙幣の在高及び在高不確定状態を回収カセット２０７のＩＣデータ２０７ｄに反映する。次に、回収処理部２３０ｃは、紙幣収納部２０６に収められている紙幣を残置額を除いて回収カセット２０７に回収する。最後に、回収処理部２３０ｃは、紙幣の回収終了後の紙幣在高データ２３４ｃに基づいて、回収処理後の紙幣の在高及び在高不確定状態を回収カセット２０７のＩＣデータ２０７ｄに反映する。
【００７１】
精査処理部２３０ｄは、在高不確定状態となっている金種の紙幣に関して、紙幣収納部２０６に収納されている全てを紙幣払出部２１６に払い出しを行うか、回収カセット２０７に回収する。また、精査処理部２３０ｄは、在高不確定状態となっている金種に対応する紙幣収納部２０６が空になったならば紙幣在高データ２３４ｃの対応する金種の在高と在高不確定状態のクリアを行う。また、精査処理部２３０ｄは、紙幣払出部２１６に払い出された紙幣若しくは回収カセット２０７に回収された紙幣を紙幣受入部２１４から投入して、真偽、正損の判定及び金種別に計数を行って、真券で且つ正券であると判定された紙幣を紙幣収納部２０６に収納するとともに、計数結果を紙幣在高データ２３４ｃに反映する。これによって、在高不確定状態が解消され、紙幣在高データ２３４ｃの在高と紙幣収納部２０６に収納されている紙幣の金種別の枚数の整合を取ることができる。また、精査処理部２３０ｄは、硬貨釣銭機１００から硬貨在高データ１３４ｃの金種ごとの在高不確定状態の更新を受け付けた場合には受け付けた内容を、回収カセット２０７のＩＣタグ２０７ｃのＩＣデータ２０７ｄに反映する。
【００７２】
次に、硬貨釣銭機１００に硬貨を入金する場合の動作について以下に説明する。入出金処理部１３０ａは、硬貨釣銭機１００の硬貨受入部１１４に硬貨が受け入れられると、硬貨受入部１１４は、受け入れた硬貨を１層１列状態で１枚ずつ機体内に取り込み、取り込まれた硬貨は入金搬送部１０３により搬送される。そして、入金搬送部１０３により搬送される硬貨は硬貨識別部１０１により硬貨の識別が行われる。入出金処理部１３０ａは、硬貨識別部１０１による硬貨の識別結果に基づいて、リジェクト硬貨等の硬貨払出部１１６から払い出されるべき硬貨であると識別された硬貨は、分岐部１０４により出金搬送部１０８へ搬送し、出金搬送部１０８により硬貨払出部１１６に搬送する。一方、硬貨識別部１０１による硬貨の識別結果に基づいて、正常硬貨等の機体内に収納されるべき硬貨であると識別された硬貨は、入金搬送部１０３により硬貨収納部１０６へ搬送し、当該硬貨収納部１０６に金種別に収納する。
【００７３】
また、硬貨釣銭機１００から釣銭としての硬貨を出金する場合には、操作者は操作表示部１１２により出金されるべき硬貨の金種別の枚数や合計金額等を入力する。あるいは、ＰＯＳレジスタ３００から紙幣釣銭機２００経由で出金指示が硬貨釣銭機１００に送られると、硬貨釣銭機１００から釣銭としての硬貨が出金される。硬貨釣銭機１００の入出金処理部１３０ａに対して出金指示が与えられると、硬貨収納部１０６に収納されている硬貨が繰り出され、繰り出された硬貨は出金搬送部１０８により硬貨払出部１１６へ搬送される。このようにして、操作者は、硬貨払出部１１６から硬貨を取り出すことができるようになる。
【００７４】
次に、紙幣釣銭機２００に紙幣を入金する場合の動作について以下に説明する。入出金処理部２３０ａは、紙幣受入部２１４の紙幣受入口２１４ａに紙幣が挿入されると、紙幣受入部２１４は、紙幣受入口２１４ａに挿入された入金紙幣を１枚ずつ取り込んで、周回搬送部２０３ａ側へ繰り出す。そして、周回搬送部２０３ａ側へ繰り出された紙幣は当該周回搬送部２０３ａにより搬送され、この際に紙幣識別部２０１により紙幣の識別が行われる。紙幣識別部２０１により正常な紙幣であると識別された紙幣は、各紙幣収納部２０６に金種別に収納する。一方、紙幣受入部２１４から取り込まれた紙幣のうち、汚損や搬送異常等により紙幣識別部２０１で識別することができない紙幣は入金リジェクト紙幣として紙幣払出部２１６に返却される。
【００７５】
また、紙幣釣銭機２００から釣銭としての紙幣を出金する場合には、操作者は操作表示部１１２により出金されるべき紙幣の金種別の枚数や合計金額等を入力する。あるいは、ＰＯＳレジスタ３００から出金指示が紙幣釣銭機２００に送られると、紙幣釣銭機２００から釣銭としての紙幣が出金される。紙幣釣銭機２００の入出金処理部２３０ａに対して出金指示が与えられると、紙幣収納部２０６に収納されている紙幣が繰り出され、繰り出された紙幣は紙幣識別部２０１により識別された後、周回搬送部２０３ａにより紙幣払出部２１６に送られる。そして、紙幣払出部２１６は、紙幣収納部２０６から送られた紙幣を紙幣取出口２１６ａより筐体２１０外へ放出する。このようにして、操作者は、紙幣釣銭機２００から出金された紙幣を得ることができるようになる。なお、紙幣収納部２０６から繰り出された紙幣のうち、斜行等により紙幣識別部２０１で識別することができない紙幣は、出金リジェクト紙幣として出金リジェクト部２０４に収納される。
【００７６】
次に、店舗の営業終了後、あるいは営業中の所定のタイミングに行われる精算処理時において硬貨釣銭機１００や紙幣釣銭機２００から売上金としての紙幣や硬貨を回収する際の動作について説明する。
【００７７】
精算処理時において硬貨釣銭機１００や紙幣釣銭機２００から売上金としての紙幣や硬貨を回収する際には、操作者はＰＯＳレジスタ３００の操作部３０４により売上金の回収を行うことを指示する。また、ＰＯＳレジスタ３００の操作部３０４を操作する代わりに、操作者が硬貨釣銭機１００の操作表示部１１２を操作することにより、売上金の回収を行うことを指示することができるようになっていてもよい。ＰＯＳレジスタ３００の操作部３０４若しくは硬貨釣銭機１００の操作表示部１１２による売上金の回収の指示を受け付けると、硬貨釣銭機１００の回収処理部１３０ｃは、回収動作開始直前の硬貨在高データ１３４ｃを紙幣釣銭機２００に送信する。硬貨在高データ１３４ｃを受け付けた紙幣釣銭機２００は、受け付けた硬貨在高データ１３４ｃを回収カセット２０７のＩＣデータ２０７ｄに反映する。また、硬貨設定データ１３４ａに設定されている残置枚数を超える硬貨を全て硬貨払出部１１６に払い出す。また、紙幣釣銭機２００の回収処理部２３０ｃは、回収動作開始直前の紙幣在高データ２３４ｃを回収カセット２０７のＩＣデータ２０７ｄに反映する。また、回収処理部２３０ｃは、紙幣設定データ２３４ａに設定されている残置枚数を超える紙幣を全て回収カセット２０７に搬送する。
【００７８】
本実施例では、硬貨設定データ１３４ａ及び紙幣設定データ２３４ａに売上金回収処理に係るパラメータに予め残置する金種ごとの枚数を設定し、当該パラメータに応じた回収処理を行うものとしたが、本発明はこれに限定されない。例えば、回収処理に複数の回収パターンを設け、それぞれの回収パターンに対する処理内容を事前に設定しておいて、ＰＯＳレジスタ３００の操作部３０４若しくは硬貨釣銭機１００の操作表示部１１２から回収処理の処理パターンを指定できるようにしてもよい。
【００７９】
次に、図２に示した硬貨釣銭機１００及び紙幣釣銭機２００の本実施例に係るデータ構成について説明する。図６は、硬貨釣銭機１００及び紙幣釣銭機２００の本実施例に係るデータ構成について説明するための説明図である。
【００８０】
硬貨設定データ１３４ａは、硬貨のニアエンプティ閾値枚数と残置枚数とを有する。ニアエンプティ閾値枚数は、ニアエンプティであることの注意メッセージの表示を行う硬貨の金種ごとの下限枚数である。また、残置枚数は、回収処理時に硬貨釣銭機１００に残す硬貨の金種ごとの枚数である。
【００８１】
図６の硬貨設定データ１３４ａの例は、ニアエンプティ閾値枚数は、５００円貨が「２５」枚で、１００円貨が「１００」枚で、５０円貨が「２５」枚で、１０円貨が「１００」枚で、５円貨が「２５」枚で、１円貨が「１００」枚で、残置枚数は、５００円貨が「５０」枚で、１００円貨が「２００」枚で、５０円貨が「５０」枚で、１０円貨が「２００」枚で、５円貨が「５０」枚で、１円貨が「２００」枚であることを示している。
【００８２】
硬貨処理実績データ１３４ｂは、硬貨の入金実績枚数と出金実績枚数とを有する。入金実績枚数とは、当該硬貨釣銭機１００で導入以降に入金された金種ごとの枚数である。出金実績枚数とは、当該硬貨釣銭機１００で導入以降に出金された金種ごとの枚数である。
【００８３】
図６の硬貨処理実績データ１３４ｂは、入金実績枚数は、５００円貨が「９００」枚で、１００円貨が「４８００」枚で、５０円貨が「１２００」枚で、１０円貨が「５１００」枚で、５円貨が「１３００」枚で、１円貨が「４９００」枚で、出金実績枚数は、５００円貨が「１７００」枚で、１００円貨が「９５００」枚で、５０円貨が「２５００」枚で、１０円貨が「１０１００」枚で、５円貨が「２５００」枚で、１円貨が「９６００」枚であることを示している。
【００８４】
硬貨在高データ１３４ｃは、硬貨収納部１０６に収納されている硬貨の金種別の枚数、及び当該金種別の枚数が在高不確定状態であるか否かの情報を有している。図６の硬貨在高データ１３４ｃは、５００円貨の在高が「３０」枚で在高不確定の状態では「無」く、１００円貨の在高が「２２０」枚で在高不確定の状態では「無」く、５０円貨の在高が「４０」枚で在高不確定の状態では「無」く、１０円貨の在高が「１２０」枚で在高不確定の状態では「無」く、５円貨の在高が「６０」枚で在高不確定の状態では「無」く、１円貨の在高が「１４０」枚で在高不確定の状態では「無」いことを示している。
【００８５】
紙幣設定データ２３４ａは、紙幣のニアエンプティ閾値枚数と残置枚数とを有する。ニアエンプティ閾値枚数は、ニアエンプティであることの注意メッセージの表示を行う紙幣の金種ごとの下限枚数である。また、残置枚数は、回収処理時に紙幣釣銭機２００に残す紙幣の金種ごとの枚数である。
【００８６】
図６の紙幣設定データ２３４ａの例は、ニアエンプティ閾値枚数は、万円券が「０」枚で、五千円券が「１０」枚で、千円券が「５０」枚で、残置枚数は、万円券が「０」枚で、五千円券が「２０」枚で、千円券が「１００」枚であることを示している。
【００８７】
紙幣処理実績データ２３４ｂは、紙幣の入金実績枚数と出金実績枚数とを有する。入金実績枚数とは、当該紙幣釣銭機２００で導入以降に入金された金種ごとの枚数である。出金実績枚数とは、当該紙幣釣銭機２００で導入以降に出金された金種ごとの枚数である。
【００８８】
図６の紙幣処理実績データ２３４ｂは、入金実績枚数は、万円券が「２３００」枚で、五千円券が「８００」枚で、千円券が「３８００」枚で、出金実績枚数は、万円券が「１０」枚で、五千円券が「６５０」枚で、千円券が「２９００」枚であることを示している。
【００８９】
紙幣在高データ２３４ｃは、紙幣収納部２０６に収納されている紙幣の金種別の枚数、及び当該金種別の枚数が在高不確定状態であるか否かの情報を有している。図６の紙幣在高データ２３４ｃは、万円券の在高が「２０」枚で在高不確定の状態では「無」く、五千円券の在高が「６０」枚で在高不確定の状態では「無」く、千円券の在高が「１６０」枚で在高不確定の状態では「無」いことを示している。
【００９０】
次に、図２に示した紙幣釣銭機２００の本実施例に係るＩＣデータ２０７ｄのデータ構成を説明する。図７は、紙幣釣銭機２００の本実施例に係るＩＣデータ２０７ｄのデータ構成を示す図である。
【００９１】
ＩＣデータ２０７ｄは、レジ識別情報、設定データ、処理実績枚数及び回収データを有する。レジ識別データは、当該回収カセット２０７に対応するレジを識別する情報であり、当該レジの企業コード、店舗コード、部門コード及びレジ番号を有する。また、設定データは、当該回収カセット２０７が、入出金機４００にセットされた時に書き込まれる情報であり、当該回収カセット２０７が、紙幣釣銭機２００にセットされた場合には、ＩＣデータ２０７ｄの内容を読み込まれて紙幣釣銭機２００の紙幣設定データ２３４ａと硬貨釣銭機１００の硬貨設定データ１３４ａとに反映される。設定データには、金種別のニアエンプティ閾値枚数と、回収処理時の金種別の残置枚数とを有する。また、処理実績枚数は、回収処理が行われた時に硬貨釣銭機１００の硬貨処理実績データ１３４ｂと、紙幣釣銭機２００の紙幣処理実績データ２３４ｂとを吸い上げたデータであり、入出金機４００に持ち込んだ時には、当該ＩＣデータ２０７ｄを読み込むことによって入出金機４００に取り込まれるデータである。回収データは、回収処理実施直前の金種別の在高枚数と、回収動作後の金種別の残置枚数と、いずれかの金種に在高不確定状態があるか否かを示す情報と、回収処理を行った日付とを有する。
【００９２】
図７のＩＣデータ２０７ｄの例は、レジ識別情報は、企業コードが「００１」で、店舗コードが「０１０」で、部門コードが「００２」で、レジ番号が「１０」であることを示している。また、設定データの金種ごとのニアエンプティ閾値枚数は、万円券が「０」枚で、五千円券が「１０」枚で、千円券が「５０」枚で、５００円貨が「２５」枚で、１００円貨が「１００」枚で、５０円貨が「２５」枚で、１０円貨が「１００」枚で、５円貨が「２５」枚で、１円貨が「１００」枚であることを示している。また、回収処理時の金種別の残置枚数は、万円券が「０」枚で、五千円券が「２０」枚で、千円券が「１００」枚で、５００円貨が「５０」枚で、１００円貨が「２００」枚で、５０円貨が「５０」枚で、１０円貨が「２００」枚で、５円貨が「５０」枚で、１円貨が「２００」枚であることを示している。また、処理実績枚数の入金実績枚数は、万円券が「２３００」枚で、五千円券が「８００」枚で、千円券が「３８００」枚で、５００円貨が「９００」枚で、１００円貨が「４８００」枚で、５０円貨が「１２００」枚で、１０円貨が「５１００」枚で、５円貨が「１３００」枚で、１円貨が「４９００」枚であることを示している。また、処理実績枚数の出金実績枚数は、万円券が「１０」枚で、五千円券が「６５０」枚で、千円券が「２９００」枚で、５００円貨が「１７００」枚で、１００円貨が「９５００」枚で、５０円貨が「２５００」枚で、１０円貨が「１０１００」枚で、５円貨が「２５００」枚で、１円貨が「９６００」枚であることを示している。
【００９３】
また、図７のＩＣデータ２０７ｄの回収データの例は、回収処理実施直前の金種別の在高枚数は、万円券が「２０」枚で、五千円券が「６０」枚で、千円券が「１６０」枚で、５００円貨が「３０」枚で、１００円貨が「２２０」枚で、５０円貨が「４０」枚で、１０円貨が「１２０」枚で、５円貨が「６０」枚で、１円貨が「１４０」枚であることを示している。また、回収処理実施直後の金種別の残置枚数は、万円券が「０」枚で、五千円券が「２０」枚で、千円券が「１００」枚で、５００円貨が「３０」枚で、１００円貨が「２００」枚で、５０円貨が「４０」枚で、１０円貨が「１２０」枚で、５円貨が「５０」枚で、１円貨が「１４０」枚であることを示している。また、硬貨釣銭機１００及び紙幣釣銭機２００のいずれにも在高不確定の状態は「無」くて、回収処理の実施日付が「２０１４／４／１」であることを示している。
【００９４】
次に、図２に示した入出金機４００の外観構成を説明する。図８は、入出金機４００の外観構成を示す図である。
【００９５】
表示部４０１は、液晶ディスプレイなどの表示部であり、入出金機４００の操作に係るメニューや画面の表示等を行う。操作部４０２は、キーボードなどの入力部である。ＩＤカードリーダ４０３は、入出金操作を行う人を識別するＩＤカードの磁気テープを読み込む入力部である。ジャーナル印字部４０４は、入出金機４００で行った処理内容を示すジャーナルを印刷する出力部である。カセット解錠機４０５は、閉店後などに店舗から持ち込まれた売上金が収集された回収カセット２０７をセットすることによって回収カセット２０７の鍵を解錠する機器である。通帳プリンタ４０９は、入出金機４００で行った処理内容を通帳の形状をした出力媒体に印刷する出力部である。
【００９６】
紙幣受付部４２１は、入金する紙幣を投入する口である。硬貨受付部４３１は、入金する紙幣を投入する口である。また、包装硬貨受付部４４１は、入金する包装硬貨を投入する口である。
【００９７】
次に、図２に示した入出金機４００の本実施例に係る内部構成を説明する。図９は、入出金機４００の本実施例に係る内部構成を示すブロック図である。図９に示すように、入出金機４００には、レジの売上金を回収する回収カセット２０７の鍵を解錠するカセット解錠機４０５と、通帳の印字を行う通帳プリンタ４０９とを接続することが可能である。
【００９８】
また、入出金機４００は、表示部４０１、操作部４０２、ＩＤカードリーダ４０３、ジャーナル印字部４０４、通信部４０６、紙幣制御部４２０、硬貨制御部４３０、包装硬貨制御部４４０、記憶部４０７及び制御部４０８を有する。通信部４０６は、他の入出金機４００とデータ通信を行うためのインタフェース部である。
【００９９】
紙幣制御部４２０は、図８に示した紙幣受付部４２１と、紙幣受付部４２１で受け付けた紙幣を搬送する紙幣搬送部４２２と、紙幣搬送部４２２によって搬送された紙幣の真偽及び正損の判定を行う紙幣判別部４２３とを有する。また、硬貨制御部４３０は、図８に示した硬貨受付部４３１と、硬貨受付部４３１で受け付けた硬貨を搬送する硬貨搬送部４３２と、硬貨搬送部４３２によって搬送された硬貨の真偽及び正損の判定を行う硬貨判別部４３３とを有する。また、包装硬貨制御部４４０は、図８に示した包装硬貨受付部４４１と、包装硬貨受付部４４１で受け付けた包装硬貨を搬送する包装硬貨搬送部４４２と、包装硬貨搬送部４４２によって搬送された包装硬貨の真偽の判定を行う包装硬貨判別部４４３とを有する。
【０１００】
記憶部４０７は、ハードディスク装置や不揮発性メモリ等からなる記憶デバイスである。記憶部４０７は、入金機番号４０７ａ、レジ別取扱データ４０７ｂ、レジ設定データ４０７ｃ、レジ稼働状況データ４０７ｄ及び回収データ４０７ｅを有する。
【０１０１】
入金機番号４０７ａは、複合商業施設内に設置される複数の入出金機４００を識別する自装置の識別情報である。レジ別取扱データ４０７ｂは、売上金の入金時に持ち込んだ回収カセット２０７のＩＣタグ２０７ｃに記憶されている情報から、当該回収カセット２０７に対応するレジが在高不確定状態である場合の取り扱いをレジごとに設定したデータである。通常は、在高不確定状態であるレジの売上金の入金は受け付けないが、当該レジ別取扱データ４０７ｂに在高不確定状態であっても取り扱いが可能である旨の設定がされたレジの場合には、所定の他の条件（例えば入金者が管理者であるなど）を満たした場合には、在高不確定状態であっても売上金の入金を受け付ける。
【０１０２】
レジ設定データ４０７ｃは、レジごとの設定データである硬貨設定データ１３４ａ及び紙幣設定データ２３４ａの、全てのレジに対応するデータである。レジ稼働状況データ４０７ｄは、レジごとの稼働実績データであり、回収カセット２０７のＩＣタグ２０７ｃを通じて硬貨処理実績データ１３４ｂ及び紙幣処理実績データ２３４ｂを吸い上げたデータである。回収データ４０７ｅは、売上金の入金処理時などにカセット解錠機４０５に回収カセット２０７が装填された場合に、回収カセット２０７のＩＣタグ２０７ｃからＩＣデータ２０７ｄを読み取って、ＩＣデータ２０７ｄの回収データを一時的に記憶したデータである。
【０１０３】
制御部４０８は、入出金機４００を全体制御する制御部であり、入出金機情報設定部４０８ａ、レジ情報設定部４０８ｂ、入金処理部４０８ｃ及びレジ稼働状況管理部４０８ｄを有する。実際には、この機能部に対応するプログラムを図示しないＲＯＭや不揮発性メモリに記憶しておき、これらのプログラムをＣＰＵ（Central Processing Unit）にロードして実行することにより、それぞれに対応するプロセスを実行させることになる。
【０１０４】
入出金機情報設定部４０８ａは、在高不確定状態の取り扱いをレジごとに設定したデータであるレジ別取扱データ４０７ｂの設定及び管理を行う処理部である。
【０１０５】
レジ情報設定部４０８ｂは、複合商業施設内の全てのレジの設定データであるレジ設定データ４０７ｃの登録管理を行う処理部である。親機の入出金機４００のレジ情報設定部４０８ｂによって、レジ設定データ４０７ｃの登録が行われ、さらにレジ情報設定部４０８ｂは登録したレジ設定データ４０７ｃを子機の入出金機４００に配信する。子機の入出金機４００のレジ情報設定部４０８ｂは、親機から受け付けた登録されたレジの設定データを受け付けて自装置内のレジ設定データ４０７ｃの更新を行う。また、レジ情報設定部４０８ｂは、入金処理時等にカセット解錠機４０５に回収カセット２０７がセットされると、回収カセット２０７のＩＣデータ２０７ｄから回収カセット２０７に対応するレジの識別情報を取得して、取得した識別情報に対するレジ設定データ４０７ｃのレコードでＩＣデータ２０７ｄの中の設定データを更新する。
【０１０６】
入金処理部４０８ｃは、入金処理の全体を制御する処理部である。入金処理部４０８ｃは、まずＩＤカードリーダ４０３による担当者カードの読み込みの受付を行う。担当者の認証が行われたならば、次にレジの識別情報の受付を行う。レジの識別情報は、操作部４０２の入力でも受け付けることができるが、回収カセット２０７を持ち込んでいる場合は、回収カセット２０７をカセット解錠機４０５にセットすることによって、回収カセット２０７の底部に取り付けられたＩＣタグ２０７ｃのＩＣデータ２０７ｄに含まれるレジ識別情報を読み取ることによってレジの識別情報の受付を行うことができる。
【０１０７】
さらに、入金処理部４０８ｃは、回収カセット２０７のＩＣタグ２０７ｃのＩＣデータ２０７ｄに含まれる回収データを読み取って回収データ４０７ｅに記憶する。入金処理部４０８ｃは、回収データ４０７ｅを参照して当該回収カセット２０７に対応するレジが在高不確定状態か否かの判定を行って、在高不確定状態ではない場合には、カセット解錠機４０５を使用可能な状態にするとともに、入出金機４００の紙幣受付部４２１、硬貨受付部４３１及び包装硬貨受付部４４１のシャッタを開けて、紙幣、硬貨及び包装硬貨の投入が可能な状態にする。カセット解錠機４０５は、回収カセット２０７をセットして、奥側に回収カセット２０７を手動で押し込むことによって回収カセット２０７の解錠が行えるが、待機中の状態では奥側に押し込むことができないように電磁ロックがかかった状態となっている。「カセット解錠機４０５を使用可能な状態にする」とは、この電磁ロックを解除することによって奥側に押し込むことができる状態にすることを示している。
【０１０８】
操作者はカセット解錠機４０５を利用して回収カセット２０７に収められた紙幣を取り出して、取り出した紙幣を紙幣受付部４２１に投入して、持ち込んだ硬貨及び包装硬貨を硬貨受付部４３１及び包装硬貨受付部４４１に投入して入金処理開始の指示操作を行う。入金処理部４０８ｃは、入金処理開始の指示を受け付けると、投入された紙幣、硬貨及び包装硬貨の計数を行って、入出金機４００の内部の収納部に収納する。入金処理部４０８ｃは、受け付けた紙幣、硬貨及び包装硬貨の収納が行われると、入金された金額などの情報をジャーナルとしてジャーナル印字部４０４で出力する。また、通帳プリンタ４０９が接続されている場合には、通帳プリンタ４０９にて入金された金額の情報などを通帳に印字する。
【０１０９】
レジ稼働状況管理部４０８ｄは、入金処理時等にカセット解錠機４０５に回収カセット２０７がセットされると、回収カセット２０７のＩＣデータ２０７ｄからレジ識別情報と処理実績枚数とを読み取って、レジ稼働状況データ４０７ｄのＩＣデータ２０７ｄから読み取ったレジ識別情報に対応するレジの稼働状況の更新を行う。これによって、レジ稼働状況データ４０７ｄには、取り扱い対象の全てのレジの稼働状況が収集される。レジ稼働状況管理部４０８ｄは、レジ稼働状況データ４０７ｄに基づいてレジの稼働状況を出力することが可能である。さらに、レジ稼働状況データ４０７ｄは、レジ稼働状況データ４０７ｄの情報を活用することによって、例えば同一店舗、同一部門内に複数のレジが設置されている場合などに、レジ稼働率の平準化のために翌日稼働させるレジを自動で選定して、その結果を出力することも可能である。
【０１１０】
次に、図２に示した入出金機４００の本実施例に係るデータ構成について説明する。図１０は、入出金機４００の本実施例に係るデータ構成について説明するための説明図である。
【０１１１】
レジ別取扱データ４０７ｂは、レジの識別情報である企業コード、店舗コード、部門コード及びレジ番号と、当該識別番号のレジが在高不確定状態であった場合に入金処理を受け付けるか否かのの情報とを１レコードの項目とするデータである。図１０のレジ別取扱データ４０７ｂの例は、企業コードが「００１」で、店舗コードが「０１０」で、部門コードが「００２」で、レジ番号が「１０」のレジは、在高不確定の状態での取扱が「可」であることを示している。また、企業コードが「００５」で、店舗コードが「００１」で、部門コードが「００１」で、レジ番号が「０１」のレジは、在高不確定の状態での取扱が「不可」でであることを示している。
【０１１２】
レジ設定データ４０７ｃは、レジの識別情報である企業コード、店舗コード、部門コード及びレジ番号に対応付けて、当該識別情報のレジに対する設定データを１レコードの項目とするデータである。設定データは、当該レジにおける金種ごとのニアエンプティを判定する下限閾値であるニアエンプティ閾値枚数と、当該レジにおける売上金回収時に翌日の釣銭用に硬貨釣銭機１００及び紙幣釣銭機２００に残置する金種ごとの残置枚数とを有する。
【０１１３】
図１０のレジ設定データ４０７ｃの例は、企業コードが「００１」で、店舗コードが「０１０」で、部門コードが「００２」で、レジ番号が「１０」のレジは、ニアエンプティ閾値枚数は、万円券が「０」枚で、五千円券が「１０」枚で、千円券が「５０」枚で、５００円貨が「２５」枚で、１００円貨が「１００」枚で、５０円貨が「２５」枚で、１０円貨が「１００」枚で、５円貨が「２５」枚で、１円貨が「１００」枚であり、残置枚数は、万円券が「０」枚で、五千円券が「２０」枚で、千円券が「１００」枚で、５００円貨が「５０」枚で、１００円貨が「２００」枚で、５０円貨が「５０」枚で、１０円貨が「２００」枚で、５円貨が「５０」枚で、１円貨が「２００」枚であることを示している。
【０１１４】
レジ稼働状況データ４０７ｄは、レジの識別情報である企業コード、店舗コード、部門コード及びレジ番号に対応付けて、当該識別情報のレジに対する処理実績データを１レコードの項目とするデータである。処理実績データは、当該レジにおける金種ごとの入金実績枚数と金種ごとの出金実績枚数とを有する。
【０１１５】
図１０のレジ稼働状況データ４０７ｄの例は、企業コードが「００１」で、店舗コードが「０１０」で、部門コードが「００２」で、レジ番号が「１０」のレジは、入金実績枚数は、万円券が「２３００」枚で、五千円券が「８００」枚で、千円券が「３８００」枚で、５００円貨が「９００」枚で、１００円貨が「４８００」枚で、５０円貨が「１２００」枚で、１０円貨が「５１００」枚で、５円貨が「１３００」枚で、１円貨が「４９００」枚であり、出金実績枚数は、万円券が「１０」枚で、五千円券が「６５０」枚で、千円券が「２９００」枚で、５００円貨が「１７００」枚で、１００円貨が「９５００」枚で、５０円貨が「２５００」枚で、１０円貨が「１０１００」枚で、５円貨が「２５００」枚で、１円貨が「９６００」枚であることを示している。
【０１１６】
回収データ４０７ｅは、カセット解錠機４０５に装填された回収カセット２０７のＩＣタグ２０７ｃのＩＣデータ２０７ｄを読み取ってその中の回収データを記憶したものであって、レジにおける回収処理実施直前の金種別の在高枚数と、回収動作後の金種別の残置枚数と、いずれかの金種に在高不確定状態があるか否かを示す情報と、回収処理を行った日付とを有する。
【０１１７】
また、図１０の回収データ４０７ｅの例は、カセット解錠機４０５に装填された回収カセット２０７に対応するレジに係る情報について、回収処理実施直前の金種別の在高枚数は、万円券が「２０」枚で、五千円券が「６０」枚で、千円券が「１６０」枚で、５００円貨が「３０」枚で、１００円貨が「２２０」枚で、５０円貨が「４０」枚で、１０円貨が「１２０」枚で、５円貨が「６０」枚で、１円貨が「１４０」枚であることを示している。また、回収処理実施直後の金種別の残置枚数は、万円券が「０」枚で、五千円券が「２０」枚で、千円券が「１００」枚で、５００円貨が「３０」枚で、１００円貨が「２００」枚で、５０円貨が「４０」枚で、１０円貨が「１２０」枚で、５円貨が「５０」枚で、１円貨が「１４０」枚であることを示している。また、硬貨釣銭機１００及び紙幣釣銭機２００のいずれにも在高不確定の状態は「無」くて、回収処理の実施日付が「２０１４／４／１」であることを示している。
【０１１８】
次に、カセット解錠機４０５及び回収カセット２０７の外観構成を説明する。図１１は、カセット解錠機４０５及び回収カセット２０７の外観構成を示す図である。
【０１１９】
図１１（ａ）に示すように、カセット解錠機４０５は、回収カセット２０７を装填することができ、当該回収カセット２０７をセットして奥側に押し込むことができるスライドベース部４０５ａと、回収カセット２０７の押し込みを規制したりその規制を解除したりすることができ、スライド可能なカバー部４０５ｂと、回収カセット２０７を解錠するためのロック解錠部４０５ｃと、回収カセット２０７の状態等の所定の情報を表示する表示部４０５ｄと、回収カセット２０７の底面に取り付けられたＩＣタグ２０７ｃの内容を読み込むことのできるＩＣタグリーダ４０５ｅを有している。ロック解錠部４０５ｃは、その内部にキーを有しており、回収カセット２０７を奥側に押し込むことに連動してキーが回動されて、回収カセット２０７のロック部のロックが解錠されることとなる。
【０１２０】
また、待機状態ではカバー部４０５ｂは電磁ロックがかかった状態であり、スライドベース部４０５ａを奥側に押し込むことはできない。カセット解錠機４０５は、制御部４０８からの電磁ロック解除の信号を受け付けるとカバー部４０５ｂの電磁ロックの解除を行う、これによってスライドベース部４０５ａを奥側に押し込むことができるようになる。
【０１２１】
回収カセット２０７は、短手方向であって水平方向に延在する揺動軸を有し、回収カセット２０７の上方筐体部２０７ａは下方筐体部２０７ｂに対して当該搖動軸を中心に上下方向に搖動自在となっている（図１２（ｄ）参照）。なお、回収カセット２０７は、施錠されているときには、回収カセット２０７の上方筐体部２０７ａは下方筐体部２０７ｂに対して搖動軸を中心として搖動することができないが、解錠されることで上方筐体部２０７ａが搖動軸を中心として上下方向に搖動することができるようになる。そして、上方筐体部２０７ａが上方に搖動されることで、回収カセット２０７内に収容された紙幣を取り出すことができるようになる。
【０１２２】
次に、カセット解錠機４０５を使用して回収カセット２０７を解錠する手順を図１２を用いて説明する。
【０１２３】
図１２（ａ）は、カセット解錠機４０５に回収カセット２０７を装填する位置関係を示した図である。カセット解錠機４０５のスライドベース部４０５ａに回収カセット２０７の下方筐体部２０７ｂの底面が接するようにセットすることによって回収カセット２０７をカセット解錠機４０５に装填する。そのようにして装填した図が、図１２（ｂ）である。
【０１２４】
図１２（ｂ）に示すように回収カセット２０７がカセット解錠機４０５のスライドベース部４０５ａに装填されると、ＩＣタグリーダ４０５ｅによってＩＣタグ２０７ｃのＩＣデータ２０７ｄが読み込まれる。入金処理部４０８ｃは、ＩＣタグリーダ４０５ｅによって読み込んだＩＣデータ２０７ｄの回収データとレジ別取扱データ４０７ｂの情報とに基づいて、取り扱うことのできるレジであるか否かの判定を行う。当該判定の結果が取り扱うことのできるレジであるとの判定の場合には、入金処理部４０８ｃは、カセット解錠機４０５に使用許可の信号を送る。使用許可の信号を受け付けたカセット解錠機４０５は、カバー部４０５ｂの電磁ロックを解除することによってカセット解錠機４０５を使用可能な状態とし、回収カセット２０７を奥側に押し込むことができるようになる。
【０１２５】
次に、図１２（ｃ）に示すように、スライドベース部４０５ａに装填された回収カセット２０７を奥側に押し込むと、この押し込む動作によって回収カセット２０７のロック部にロック解錠部４０５ｃの内部にあるキーが挿入され、さらに押し込む動作と連動してキーが回動されてロック部のロックが解錠される。ロックが解錠されることによって、図１２（ｄ）に示すように、回収カセット２０７の上方筐体部２０７ａを上方に搖動することが可能となる。回収カセット２０７の上方筐体部２０７ａを上方に搖動することによって、回収カセット２０７内に収容された貨幣を取り出すことができるようになる。なお、このようにして回収カセット２０７が奥側に押し込まれて回収カセット２０７が解錠されると、表示部４０５ｄには解錠中の旨の表示が行われる。
【０１２６】
次に、図２に示した入出金機４００における入金の取り扱い可否の判定処理の処理手順を説明する。図１３は、入出金機４００における入金の取り扱い可否の判定処理の処理手順を示すフローチャートである。
【０１２７】
入金処理部４０８ｃは、入金を行う担当者の認証として担当者のＩＤカードの読み取りを行う（ステップＳ１０１）。ＩＤカードから読み取った情報に基づいて担当者の認証及び当該担当者の入金を行う権限の有無の判定を行って、担当者の認証ができない場合若しくは認証ができたとしても当該担当者が入金を行う権限がないと判定された場合（ステップＳ１０２；Ｎｏ）にはステップ１０１に戻る。
【０１２８】
担当者の認証ができて入金を行う権限もあると判定された場合（ステップＳ１０２；Ｙｅｓ）には、入金処理部４０８ｃは、カセット解錠機４０５に回収カセット２０７をセットするか、操作部４０２を使用してレジの識別情報を入力するか、いずれかの操作によってレジの識別情報の入力を行う旨のメッセージ表示を行う（ステップＳ１０３）。回収カセット２０７がカセット解錠機４０５に装填された場合（ステップＳ１０４；Ｙｅｓ）には、入金処理部４０８ｃは、カセット解錠機４０５に指示することによってＩＣタグリーダ４０５ｅによって回収カセット２０７のＩＣデータ２０７ｄのレジ識別情報と回収データの読み取りを行い、読み取った回収データは回収データ４０７ｅに記憶する（ステップＳ１０５）。回収カセット２０７がカセット解錠機４０５に装填されなくて（ステップＳ１０４；Ｎｏ）、操作部４０２によるレジの識別情報の入力を受け付けた場合（ステップＳ１０６；Ｙｅｓ）には、ステップＳ１１１に移行する。回収カセット２０７がカセット解錠機４０５に装填されなくて（ステップＳ１０４；Ｎｏ）、操作部４０２によるレジの識別情報の入力も受け付けていない場合（ステップＳ１０６；Ｎｏ）には、ステップＳ１０４に戻る。
【０１２９】
次に、回収データ４０７ｅを参照して在高不確定の有無が「無」となっている場合（ステップＳ１０７；Ｎｏ）には、レジ情報設定部４０８ｂは、レジ設定データ４０７ｃの当該レジに対するレコードの情報で、回収カセット２０７のＩＣデータ２０７ｄの設定データの情報を更新する（ステップＳ１０８）。また、レジ稼働状況管理部４０８ｄは、回収カセット２０７のＩＣデータ２０７ｄの処理実績枚数の情報を読み込んで、レジ稼働状況データ４０７ｄの当該レジに対応するレコードの内容を更新する（ステップＳ１０９）。また、入金処理部４０８ｃは、カセット解錠機４０５に対して使用可能な状態への移行の指示を行うことによってカバー部４０５ｂの電磁ロックを解除する（ステップＳ１１０）。
【０１３０】
入金処理部４０８ｃは、紙幣受付部４２１、硬貨受付部４３１及び包装硬貨受付部４４１のシャッタを開放して、紙幣受付部４２１、硬貨受付部４３１及び包装硬貨受付部４４１への貨幣の投入が可能な状態にする（ステップＳ１１１）。入金処理部４０８ｃは、紙幣受付部４２１、硬貨受付部４３１及び包装硬貨受付部４４１へ投入された貨幣の計数を行って、入出金機４００の内部の収納部に収納し、入金された金額などの情報をジャーナル及び通帳に出力して（ステップＳ１１２）、処理を終了する。
【０１３１】
また、ステップＳ１０７において回収データ４０７ｅの在高不確定の有無が「有」となっている場合（ステップＳ１０７；Ｙｅｓ）には、レジ別取扱データ４０７ｂの情報から当該レジが在高不確定の状態であっても取り扱うことができるレジか否かの判定を行い（ステップＳ１１３）、在高不確定の状態であっても取り扱うことができるレジである場合（ステップＳ１１３；Ｙｅｓ）には、入金処理部４０８ｃは、例外的な取り扱いを行うための他の条件を満たしているかどうかの判定を行って（ステップＳ１１４）、例外的な取り扱いを行うための他の条件を満たしている場合（ステップＳ１１５；Ｙｅｓ）にはステップＳ１０８に移行する。また、レジ別取扱データ４０７ｂの情報から当該レジが在高不確定の状態の時には取り扱うことができないレジで有る場合（ステップＳ１１３；Ｎｏ）、及び例外的に取り扱うことが可能なレジであっても例外的な取り扱いを行うための他の条件を満たしていない場合（ステップＳ１１５；Ｎｏ）には、入金処理部４０８ｃは、当該レジの入金は取り扱うことができない旨のメッセージを表示して（ステップＳ１１６）、処理を終了する。
【０１３２】
上述してきたように、本実施例では、店舗から売上金の回収を行う回収カセット２０７に取り付けられたＩＣタグ２０７ｃに硬貨釣銭機１００若しくは紙幣釣銭機２００の管理する硬貨若しくは紙幣の在高が不明確な状態である在高不明確状態であるか否かの情報を記憶させ、売上金の入金を行う入出金機４００のカセット解錠機４０５に回収カセット２０７を装填したならば、回収カセット２０７のＩＣタグ２０７ｃから在高不明確状態であるか否かの情報を読み取って在高不明確状態でない場合に売上金の入金を受け付けるように制御するよう構成したので、有価媒体の在高が正確に把握できていない状態の店舗の決済装置から回収した有価媒体の収納を適切に制限することができる。
【０１３３】
なお、上述の本実施例では、回収カセット２０７は、入出金機４００のカセット解錠機４０５に装填することによってロック部の解錠のみを行って内部に収納されている紙幣の入出金機４００への投入は、人の手で実施するものとしたが本発明はこれに限定するものではない。例えば、回収カセット２０７の内部に収納されている紙幣を繰り出すことのできる機構を備えて、入出金機４００は回収カセット２０７が繰り出した紙幣を受け付けて入金処理が行えるようになっていてもよい。また、回収カセット２０７は回収する紙幣のみを収納するものとしたが、例えば紙幣と硬貨の両方を収納できるような回収カセットであってもかまわない。また、例えば硬貨用の回収カセットを設けてもよい。
【０１３４】
また、上述の本実施例では、入出金機４００おいて売上金の入金処理を行う際には入金処理だけを行う例の説明をしてきたが本発明はこれに限定されるものではない。例えば、売上金の入金処理に引き続いて翌日の釣銭準備金の出金処理を行ってもよい。また、回収カセット２０７が紙幣の取込の機能を備えている場合には、回収カセット２０７に釣銭準備金の出金を行うようにしてもよい。
【０１３５】
また、上述の本実施例では、回収カセット２０７にＩＣタグ２０７ｃを取り付けて当該ＩＣタグ２０７ｃに硬貨及び紙幣の在高不確定状態の有無の情報を記憶させて、これを入出金機４００で読み込んで、入金を行おうとしているレジに対する硬貨及び紙幣の在高不確定状態の有無の情報を取得して、取得した在高不確定状態の有無の情報に基づいて入金の可否の判定をするものとして説明してきたが、本発明はこれに限定されるものではない。例えばレジカードのＩＣカードなどの別の記憶媒体に硬貨及び紙幣の在高不確定状態の有無の情報を記憶させて、このＩＣカードなどの記憶媒体を入出金機４００で読みこむことによって入金を行おうとしているレジに対する硬貨及び紙幣の在高不確定状態の有無の情報を取得して、取得した在高不確定状態の有無の情報に基づいて入金の可否の判定をするものとしてもよい。
【０１３６】
また、上述の本実施例では、在高不確定状態の有無などの情報に基づいて入金の可否の判定を行って、入金の受付可能な場合にはカセット解錠機４０５を使用可能な状態にするとともに入出金機４００の紙幣受付部４２１、硬貨受付部４３１及び包装硬貨受付部４４１のシャッタを開放するものとしたが、本発明はこれに限定されるものではない。例えば、入金処理が付可であることのメッセージを表示部４０１に表示して、入金操作ができないように画面制御してもよい。
【０１３７】
また、上述の実施例で図示した各構成は機能概略的なものであり、必ずしも物理的に図示の構成であることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１３８】
以上のように、本発明に係る有価媒体処理装置、有価媒体処理システム及び有価媒体処理方法は、有価媒体の在高が正確に把握できていない状態の店舗の決算装置から回収した売上金の収納を適切に制限することができることに適している。
【符号の説明】
【０１３９】
１００  硬貨釣銭機
１０１  硬貨識別部
１０３  入金搬送部
１０４  分岐部
１０６  硬貨収納部
１０８  出金搬送部
１１０、２１０  筐体
１１２  操作表示部
１１４  硬貨受入部
１１６  硬貨払出部
１３０、２３０、３３０、４０８  制御部
１３０ａ、２３０ａ  入出金処理部
１３０ｂ、２３０ｂ  設定データ受付部
１３０ｃ、２３０ｃ  回収処理部
１３０ｄ、２３０ｄ  精査処理部
１３２、２３２、３３２、４０６  通信部
１３４、２３４、３３４、４０７  記憶部
１３４ａ  硬貨設定データ
１３４ｂ  硬貨処理実績データ
１３４ｃ  硬貨在高データ
２００  紙幣釣銭機
２０１  紙幣識別部
２０３ａ  周回搬送部
２０３ｂ  接続搬送部
２０４  出金リジェクト部
２０６  紙幣収納部
２０７  回収カセット
２０７ａ  上方筐体部
２０７ｂ  下方筐体部
２０７ｃ  ＩＣタグ
２０７ｄ  ＩＣデータ
２０９  ＩＣタグリーダライタ
２１４  紙幣受入部
２１４ａ  紙幣受入口
２１６  紙幣払出部
２１６ａ  紙幣取出口
２３４ａ  紙幣設定データ
２３４ｂ  紙幣処理実績データ
２３４ｃ  紙幣在高データ
３００  ＰＯＳレジスタ
３０２、４０１、４０５ｄ  表示部
３０２ａ  追加表示部
３０４、４０２  操作部
４００  入出金機
４０３  ＩＤカードリーダ
４０４  ジャーナル印字部
４０５  カセット解錠機
４０５ａ  スライドベース部
４０５ｂ  カバー部
４０５ｃ  ロック解錠部
４０５ｅ  ＩＣタグリーダ
４０７ａ  入金機番号
４０７ｂ  レジ別取扱データ
４０７ｃ  レジ設定データ
４０７ｄ  レジ稼働状況データ
４０７ｅ  回収データ
４０８ａ  入出金機情報設定部
４０８ｂ  レジ情報設定部
４０８ｃ  入金処理部
４０８ｄ  レジ稼働状況管理部
４０９  通帳プリンタ
４２０  紙幣制御部
４２１  紙幣受付部
４２２  紙幣搬送部
４２３  紙幣判別部
４３０  硬貨制御部
４３１  硬貨受付部
４３２  硬貨搬送部
４３３  硬貨判別部
４４０  包装硬貨制御部
４４１  包装硬貨受付部
４４２  包装硬貨搬送部
４４３  包装硬貨判別部
５００  店舗サーバ
【図１】
0006522903.tif 000002
【図２】
0006522903.tif 000003
【図３】
0006522903.tif 000004
【図４】
0006522903.tif 000005
【図５】
0006522903.tif 000006
【図６】
0006522903.tif 000007
【図７】
0006522903.tif 000008
【図８】
0006522903.tif 000009
【図９】
0006522903.tif 000010
【図１０】
0006522903.tif 000011
【図１１】
0006522903.tif 000012
【図１２】
0006522903.tif 000013
【図１３】
0006522903.tif 000014